(57)【特許請求の範囲】
【請求項１】
病床で使用される敷布や吸尿パッド等に止着して、これらパッド等の部分的な汚れを隠蔽することができる使い捨ての汚れ隠蔽シートであって、
前記汚れ隠蔽シートの表面側が不織布および織布、プラスチックシートのいずれかで構成され、前記汚れ隠蔽シートの裏面側である前記パッド等に対する止着面には、互いに平行な複数条の第１粘着域と、これら第１粘着域と交差する互いに平行な複数条の第２粘着域とが形成され、前記第１、２粘着域が、剥離紙で被覆保護されており、隣接する各２条の前記第１、２粘着域で囲まれた領域は第１の非粘着域であって、前記第１，２粘着域の交差部位には第２の非粘着域が形成され、前記汚れ隠蔽シートの表面には前記第１、２粘着域それぞれの幅方向中央部に前記汚れ隠蔽シートの切り取り案内線が画かれていることを特徴とする前記汚れ隠蔽シート。
【請求項２】
前記汚れ隠蔽シートが、前記第１、２粘着域を有する液体吸収性の第１シートと、前記第１シートの前記止着面の反対面に積層された液体不透過性の第２シートと、前記第２シートに積層された液体吸収性の第３シートとで構成されている請求項１記載の汚れ隠蔽シート。
【発明の詳細な説明】
【０００１】
【発明の属する技術分野】
本発明は、病床で着衣や敷布、吸尿パッドに尿等が付着して生じたそれらの部分的な汚れを隠蔽するのに適した粘着性のシートに関する。
【０００２】
【従来の技術】
病床では、排泄物によって着衣や敷布を汚す場合がある。汚れが軽度である場合には、着衣や敷布をそのまま使い続けることが多い。汚れた部位が湿っているときには、タオル等をあてがって、その部位が直接皮膚に触れないようにすることで、着用者の不快感を和らげることができる。
【０００３】
【発明が解決しようとする課題】
しかしながら、汚れた部位をこのように処置しておくことができるのは、一時的であってタオル等が動いてしまえば処置した効果が消失してしまう。
【０００４】
そこで本発明は、着衣や敷布等の汚れた部位を効果的に隠蔽できるシートの提供を課題とする。
【０００５】
【課題を解決するための手段】
本発明は、前記課題を解決するために以下の手段を採用した。
【０００６】
本発明が対象とする使い捨ての汚れ隠蔽シートは、病床で使用される敷布や吸尿パッド等に止着して、これらパッド等の部分的な汚れを隠蔽することができる汚れ隠蔽シートであって、本発明が特徴とするところは、前記汚れ隠蔽シートの表面側が不織布および織布、プラスチックシートのいずれかで構成され、前記汚れ隠蔽シートの裏面側である前記パッド等に対する止着面には、互いに平行な複数条の第１粘着域と、これら第１粘着域と交差する互いに平行な複数条の第２粘着域とが形成され、前記第１、２粘着域が、剥離紙で被覆保護されており、隣接する各２条の前記第１、２粘着域で囲まれた領域は第１の非粘着域であって、前記第１、２粘着域の交差する部位には第２の非粘着域が形成され、前記汚れ隠蔽シートの表面には前記第１、２粘着域それぞれの幅方向中央部に前記汚れ隠蔽シートの切り取り案内線が画かれていること、にある。
【０００７】
本発明の実施態様の１つにおいて、前記汚れ隠蔽シートが、前記第１、２粘着域を有する液体吸収性の第１シートと、前記第１シートの前記止着面の反対面に積層された液体不透過性の第２シートと、前記第２シートに積層された液体吸収性の第３シートとで構成されている。
【０００８】
【０００９】
【００１０】
【発明の実施の形態】
本発明に係る使い捨ての汚れ隠蔽シートを添付の図に基づいて具体的に説明する。図１は、汚れ隠蔽シート１の止着面である裏面側の平面図であり、剥離紙３の図示が一部省略してある。シート１は、止着面に第１、２粘着域４Ａ、４Ｂを有する液体吸収性第１シート２と、第１シート２の止着面を保護する剥離紙３と、第１シート２の止着面の反対面に積層されたプラスチックフィルム等の液体不透過性第２シート８と、第２シート８に積層された液体吸収性第３シート９とで構成された積層体である。各シート２、８、９は、ホットメルト接着剤等の接着剤を介して、またはシートを互いに接着することによって、またはシートを構成する繊維どうしが機械的に交絡することによって実質的に剥離することがないように接合している。
【００１１】
第１、３シート２、９には、熱可塑性合成繊維を主体とする織布や不織布等を必要に応じて親水化処理して使用し、さらに必要なら、コットン、レーヨン、パルプ等の親水性繊維を混合して使用することができる。これらシート２，９は、水溶性の抗菌剤や消臭剤で処理して使用することもできる。抗菌剤には、塩化ベンゼトニウム、塩化セチルピリジニウム等の第４級アンモニウムを用いることが好ましく、消臭剤には、ポリフェノールを主体とする植物抽出液等を用いることが好ましい。
【００１２】
図において、シート１は矩形のものであって、横方向へ延びる互いに平行な帯状の第１粘着域４Ａと、縦方向に延びる互いに平行な帯状の第２粘着域４Ｂとを有する。隣り合う各２条の第１、２粘着域４Ａ、４Ｂによって囲まれた領域は、第１の非粘着域５である。
【００１３】
第１、２粘着域４Ａ、４Ｂが互いに交差する部位のほぼ中央には、接着剤が塗布されていない第２の非粘着域６が形成されている。第２非粘着域６は、図示例の他に第１、２粘着域４Ａ、４Ｂの幅方向中央部に、それら粘着域４Ａ，４Ｂの長手方向に沿って間欠的に形成することができる。また、それら間欠的な第２非粘着域６が、第１、２粘着域４Ａ、４Ｂを横断して、互いに隣接する第１非粘着域５間に延在していてもよい。
【００１４】
図２は、シート１の表面側の平面図である。シート１の表面には、第１、２粘着域４Ａ、４Ｂそれぞれの幅方向中央部を通る切り取り案内線７Ａ、７Ｂが画かれている。シート１を案内線７Ａ、７Ｂに沿って切り取ると、それらの切り口には第２非粘着域６が現れるから、そこで剥離紙３を簡単にに摘持することができる。案内線７Ａ、７Ｂは、液体吸収性第２シート９の表面に印刷された線であってもよいし、ミシン目であってもよい。
【００１５】
シート１を使用する場合は、汚れている部位の面積に合わせてシート１を案内線７Ａ、７Ｂに沿って切り取り、剥離紙を第２非粘着域６から剥がし始め、汚れている部位をシート１で隠蔽する。シート１は、衣類の表面のみならず裏面にも貼付して、汚れを挟み込むようにすることもできる。かかるシート２では、液体吸収性第１シート２で着衣や敷布の水分を吸収し、液体吸収性第３シート８で隠蔽後の新たな水分を吸収することができる。
【００１６】
図３は、この発明の実施態様の一例を示す隠蔽シート１の断面図である。この隠蔽シート１は、織布、不織布、プラスチックシートのいずれかからなる単層のシート２１と、シート２１の裏面に形成された第１、２粘着域４Ａ、４Ｂと、第１、２粘着域４Ａ、４Ｂを保護する剥離紙３とで構成されている。液体吸収性の第１，３シート２、９と液体不透過性の第２シート８とからなる図１、２の三層構造の隠蔽シート１とは異なり、図３の隠蔽シート１は、単層である。この単層のシート２１は、透液性のものでも不透液性のものでもよい。シート２１には、図１と同様なレイアウトで第１、２粘着域４Ａ、４Ｂと第１、２非粘着域５、６と、切り取り案内線７Ａ、７Ｂとが形成されている。
【００１７】
図４は、実施態様の他の一例を示す図３と同様の図面である。この隠蔽シート１は、プラスチックシートからなる下層シート３１と、不織布からなる上層シート３２と、下層シート３１の裏面に形成された第１、２粘着域４Ａ、４Ｂと、これらを被覆する剥離紙３とで構成されている。下層シート３１には、不透液性、通気不透過性、透液性いずれのプラスチックシートでも使用可能であるが、好ましくは、通気性のものを使用する。上層シート３２には、親水性、疎水性いずれの不織布でも使用可能であるが、好ましくは、親水性のものを使用する。下層シート３１の裏面には、図１のシート１と同様に第１、２非粘着域５、６が形成されている。
【００１８】
図５もまた実施態様の一例を示す図３と同様の図面である。この隠蔽シート１は、上層シート３２が第１不織布層３３と、第２不織布層３４とで構成されていて、第１不織布層３３は、それに積層された第２不織布層３４よりも強い親水性を有している。かかる隠蔽シート１では、第２不織布層３４の表面上に位置する尿等の水分が第１不織布層３３に速やかに吸収され、第２不織布層３４の表面を常に乾燥状態に保つことができる。
【００１９】
【発明の効果】
本発明に係る汚れ隠蔽シートでは、着衣等の汚れた部位の面積に合わせてこのシートを案内線に沿って切り取ると、切り口に非粘着域が現れる。その非粘着域で剥離紙を摘持すれば、剥離紙を簡単に剥がすことができる。剥離紙を剥がした後のシートは粘着性のものであるから、これを汚れた部位に止着すれば、汚れ隠蔽シートは該部位からずれることがなく、汚れがいつまでも目立たない。
【図面の簡単な説明】
【図１】汚れ隠蔽シートの止着面側の平面図。
【図２】汚れ隠蔽シートの表面側の平面図。
【図３】実施態様の一例を示す隠蔽シートの断面図。
【図４】実施態様の他の一例を示す図３と同様の断面図。
【図５】実施態様のさらに他の一例を示す図３と同様の断面図。
【符号の説明】
１          汚れ隠蔽シート
２          第１シート
３          剥離紙
４Ａ        第１粘着域
４Ｂ        第２粘着域
５          第１非粘着域
６          第２非粘着域
８          第２シート（液体不透過性シート）
９          第３シート（液体吸収性シート）
【図１】
0003616711.tif 000002
【図２】
0003616711.tif 000003
【図３】
0003616711.tif 000004
【図４】
0003616711.tif 000005
【図５】
0003616711.tif 000006